(57)【要約】【課題】開状態にある扉部を閉状態とする作業性の向上を図ることのできる容器を提供する。【解決手段】容器１の側壁部６は、厚み方向に貫通する開口部１５が設けられた側壁本体１４と、開口部１５を開閉可能な扉部１６とを備える。扉部１６は、側壁本体１４の開口部１５の下縁部に対して回動可能に連結されて、容器１の外方側に開放可能に構成される。扉部１６が開状態とされた場合に、扉部１６の外面が、側壁本体１４の外面と対向して、当接、又は、近接する。側壁本体１４の外面の下部、及び、当該側壁本体１４の外面の下方に隣接する底壁構成部５の外面には、開状態とされた扉部１６との間に空間部３３を形成するようにして、開状態とされた扉部１６から離間する側に凹む持ち手対向部３４が設けられる。持ち手対向部３４は、扉部１６が開状態とされた場合に、空間部３３と、開状態とされた扉部１６の下方の空間との間を連通させる連通部３５を備える。【選択図】      図６
2020142814.tif 000002
【特許請求の範囲】
【請求項１】
平面視略矩形状の底壁構成部と、前記底壁構成部の各側辺部からそれぞれ上方に延出する側壁部とを備える容器において、
前記側壁部は、厚み方向に貫通する開口部が設けられた側壁本体と、前記開口部を開放する開状態と、前記開口部を閉鎖する閉状態とに状態変化可能な扉部とを具備する扉付側壁部を備え、
前記扉部は、前記側壁本体の前記開口部の下縁部に対して回動可能に連結されて、容器の外方側に開放可能に構成され、
前記扉部が前記開状態とされた場合に、前記扉部の外面が、前記側壁本体の外面と対向して、当接、又は、近接し、かつ、前記扉部の上辺部が、前記扉部の下側に配置される構成であって、
前記扉付側壁部の前記側壁本体の外面、及び、当該側壁本体の外面の下方に隣接する前記底壁構成部の外面のうち少なくとも一方には、前記開状態とされた前記扉部の上辺部との間に空間部を形成するようにして、前記開状態とされた前記扉部から離間する側に凹む持ち手対向部が設けられ、
前記持ち手対向部は、前記扉部が前記開状態とされた場合に、前記空間部と、前記開状態とされた前記扉部の下方の空間との間を連通させる連通部を備えていることを特徴とする容器。
【請求項２】
前記持ち手対向部は、前記連通部から前記空間部に対応する部位にかけて連続して延び、前記扉付側壁部の横幅方向において段差のない案内面部を備えていることを特徴とする請求項１に記載の容器。
【請求項３】
前記案内面部は上方に向けて容器の内方側に傾斜して延びていることを特徴とする請求項２に記載の容器。
【請求項４】
前記扉付側壁部の前記側壁本体は、前記側壁本体の内面を構成する側壁ベース壁部と、前記側壁ベース壁部の外面から外方に突出する側壁補強リブとを備え、
前記側壁補強リブの外縁部により前記側壁本体の外面が構成され、
前記側壁補強リブは、前記案内面部の上方に隣接して上下方向に延在する縦リブを備え、
前記縦リブの外縁部の下部は、前記案内面部と連続して延在していることを特徴とする請求項２又は３に記載の容器。
【請求項５】
前記扉部の外面の上端部には切欠き部が設けられ、
前記扉部が前記開状態にある場合に、前記扉部の前記切欠き部が設けられた部位と、前記持ち手対向部とが対向配置されることを特徴とする請求項１乃至４のいずれかに記載の容器。
【発明の詳細な説明】
【技術分野】
【０００１】
本発明は、物品の運搬等に使用される容器に関するものである。
【背景技術】
【０００２】
従来、物品の運搬等に使用される箱型の容器は、平面視略矩形状の底壁構成部と、底壁構成部の各側辺部から上方に延びる側壁部とを備えており、上方の開口部から物品を出し入れする構成となっている。また、開口部を有する側壁本体と、前記開口部を開閉させる扉部とを具備する扉付側壁部を備える容器が知られている（例えば、特許文献１等参照。）。特許文献１の容器は、扉部の下辺部が、開口部の下縁部に対して回動可能に連結されており、扉部が開状態とされる場合には、扉部の外面が、側壁本体の外面と対向して当接、又は、近接するようになっている。
【先行技術文献】
【特許文献】
【０００３】
【特許文献１】特許第２５００２４８号公報
【発明の概要】
【発明が解決しようとする課題】
【０００４】
ところで、特許文献１の容器は、上記のように開状態とされている扉部を閉状態とする作業を行う場合に、扉部に対して手を掛け難く、扉部を閉状態とする作業が比較的困難なものとなることが懸念される。特に、容器が比較的大型である場合には、扉部が比較的重くなることもあり、扉部を閉状態とする作業が一層困難なものとなるおそれがある。
【０００５】
本発明は、上記例示した問題点等を解決するためになされたものであって、その目的は、開状態にある扉部を閉状態とする作業性の向上を図ることのできる容器を提供することにある。
【課題を解決するための手段】
【０００６】
以下、上記課題等を解決するのに適した各手段につき項分けして説明する。なお、必要に応じて対応する手段に特有の作用効果等を付記する。
【０００７】
手段１．平面視略矩形状の底壁構成部と、前記底壁構成部の各側辺部からそれぞれ上方に延出する側壁部とを備える容器において、
前記側壁部は、厚み方向に貫通する開口部が設けられた側壁本体と、前記開口部を開放する開状態と、前記開口部を閉鎖する閉状態とに状態変化可能な扉部とを具備する扉付側壁部を備え、
前記扉部は、前記側壁本体の前記開口部の下縁部に対して回動可能に連結されて、容器の外方側に開放可能に構成され、
前記扉部が前記開状態とされた場合に、前記扉部の外面が、前記側壁本体の外面と対向して、当接、又は、近接し、かつ、前記扉部の上辺部が、前記扉部の下側に配置される構成であって、
前記扉付側壁部の前記側壁本体の外面、及び、当該側壁本体の外面の下方に隣接する前記底壁構成部の外面のうち少なくとも一方には、前記開状態とされた前記扉部の上辺部との間に空間部を形成するようにして、前記開状態とされた前記扉部から離間する側に凹む持ち手対向部が設けられ、
前記持ち手対向部は、前記扉部が前記開状態とされた場合に、前記空間部と、前記開状態とされた前記扉部の下方の空間との間を連通させる連通部を備えていることを特徴とする容器。
【０００８】
手段１によれば、開状態にある扉部を閉状態とする場合に、持ち手対向部の連通部を介して、扉部の外面と、持ち手対向部との間に形成された空間部に指を挿入し、扉部の外面に指を掛けて、扉部のうち下側に配置されている扉部の上辺部の周辺部をしっかりと掴むことができる。つまり、開状態にある扉部を閉状態側に持ち上げる際に、扉部の外面に指を掛けるまでの動作を、当該指に負担をかけることなく、比較的スムースに行うことができ、また、開状態にある扉部を閉状態とする作業の開始時から開状態にある扉部を好適に掴むことができることから、開状態にある扉部を持ち上げようとした際に扉部から手が滑るといった事態を防止することができる。
【０００９】
さらに、閉状態にある扉部を開状態とする際に、指を前記空間部に位置させるようにすることで、扉部を側壁本体の外面と当接、又は、近接するまで、指を扉部の外面側に指を掛けておくことが可能となる。このため、開状態とされる扉部と、持ち手対向部との間に指が挟まれる、或いは、扉部を開状態とする際に、扉部の外面と側壁本体の外面との間が比較的離間している段階で扉部から手を離すことに起因した不具合（扉部、側壁本体、底壁構成部、及び、扉部を軸支する部位の損傷、扉部の跳ね返りが作業者に当たる等）が生じるといった事態を抑止することができる。
【００１０】
従って、扉部を比較的スムース、かつ、より安全に開閉させることができ、作業性の向上等を図ることができる。特に、容器が比較的大型であり、扉部が比較的重い場合には、かかる作用効果がより顕著に奏される。
【００１１】
手段２．前記持ち手対向部は、前記連通部から前記空間部に対応する部位にかけて連続して延び、前記扉付側壁部の横幅方向において段差のない案内面部を備えていることを特徴とする手段１に記載の容器。
【００１２】
手段２によれば、開状態にある扉部を閉状態とする際に、連通部に挿入した指が、案内面部によって比較的スムースに前記空間部に案内される。さらに、案内面部によって案内されている指先は、前記空間部に案内されるまで段差やリブ等に突き当たることもない。従って、開状態にある扉部を閉状態とする際に扉部の上端部を掴む（扉部の外面側に指を掛ける）動作をより行い易くすることができる。
【００１３】
手段３．前記案内面部は上方に向けて容器の内方側に傾斜して延びていることを特徴とする手段２に記載の容器。
【００１４】
手段３によれば、連通部に挿入した指を、持ち手対向部と、扉部との間の空間部に案内するといった作用効果がより一層奏される。また、持ち手対向部における側壁本体（底壁構成部）の外面からの奥行きを効率的に設けることができ、例えば、持ち手対向部の下縁部において必要以上の比較的大きな段差が形成されることに起因して、当該段差に対して別部材が引っ掛かったり、段差部分が破損したりする等の事態を抑止することができる。
【００１５】
手段４．前記扉付側壁部の前記側壁本体は、前記側壁本体の内面を構成する側壁ベース壁部と、前記側壁ベース壁部の外面から外方に突出する側壁補強リブとを備え、
前記側壁補強リブの外縁部により前記側壁本体の外面が構成され、
前記側壁補強リブは、前記案内面部の上方に隣接して上下方向に延在する縦リブを備え、
前記縦リブの外縁部の下部は、前記案内面部と連続して延在していることを特徴とする手段２又は３に記載の容器。
【００１６】
手段４によれば、案内面部の上方に隣接する縦リブにおいても、開状態にある扉部との間に隙間が形成されることとなる。従って、前記空間部に挿入した指が、さらに案内面部よりも上方にまで挿入されたとしても、縦リブに対して指先が上下に突き当たるといった事態を防止することができる。また、上下方向における案内面部の形成範囲を極力短くすることができ、底壁構成部、及び、側壁本体の構成の複雑化等を抑制することができる。尚、空間部に挿入した指が案内面部よりも上方にまで挿入された場合、指先に当たる感触が変わる（案内面部がなくなる）ことから、それ以上に指を挿入させることを慎重にさせる（抑止を図る）ことができ、指先が側壁補強リブに勢いよく接触する等の事態を抑止することができる。
【００１７】
手段５．前記扉部の外面の上端部には切欠き部が設けられ、
前記扉部が前記開状態にある場合に、前記扉部の前記切欠き部が設けられた部位と、前記持ち手対向部とが対向配置されることを特徴とする手段１乃至４のいずれかに記載の容器。
【００１８】
手段５によれば、持ち手対向部と、開状態とされた扉部の上辺部との間に形成される空間部を扉部側にも拡張させることができる。さらに、連通部を含む前記空間部への指の入口を広くすることができる。従って、前記空間部をより好適に、より広く確保することができ、例えば、切欠き部を設けた場合の前記空間部の広さと同じ広さの前記空間部を持ち手対向部の凹形状だけで確保しようとした場合に、持ち手対向部周辺部の形状の変化が大きくなり、強度の低下等を招くといった事態を回避することができる。
【図面の簡単な説明】
【００１９】
【図１】容器の斜視図である。
【図２】容器本体の上面側を示す斜視図である。
【図３】容器本体の下面側を示す斜視図である。
【図４】容器本体の側面図である。
【図５】扉部を閉状態とした容器の部分拡大断面図である。
【図６】扉部を開状態とした容器の部分拡大断面図である。
【発明を実施するための形態】
【００２０】
以下に、一実施形態について図面を参照して説明する。図１に示すように、容器１は、上方に開口する略箱状をなし、内側の収容空間３に対して物品を収容可能な容器本体２と、収容空間３を仕切るようにして、容器本体２に対して着脱自在に取付けられた仕切り板４とを備えている。容器本体２は、平面視略矩形状の底壁構成部５と、底壁構成部５の相対する一対の長側辺部からそれぞれ上方に延出する長辺側側壁部６と、底壁構成部５の相対する一対の短側辺部からそれぞれ上方に延出する短辺側側壁部７とを備えている。本実施形態の容器１は、ポリプロピレンにより構成されるとともに、比較的大型（例えば、長手幅が１，４００ｍｍ程度）に構成されている。
【００２１】
図１〜図４に示すように、底壁構成部５は、略矩形平板状の底壁部９と、底壁部９の各短側辺部に沿って底壁部９の下面から下方に突出する一対の脚部１０と、一対の脚部１０の間の範囲において底壁部９から下方に突出して格子状に設けられた下面リブ１１とを備えている。下面リブ１１の下縁部は、脚部１０の下縁部よりも上方に位置しており、本実施形態の容器１は、一対の脚部１０により支持されるようになっている。また、各脚部１０には、フォークリフトのフォークを差込み可能なフォーク差込み部１２が設けられており、フォーク差込み部１２の上縁部は、下面リブ１１の下縁部と同じ高さとなっている。
【００２２】
図１、図５、図６等に示すように、扉付側壁部としての長辺側側壁部６は、厚み方向に貫通する開口部１５が設けられた側壁本体１４と、開口部１５を開放する開状態と、開口部１５を閉鎖する閉状態とに状態変化可能な扉部１６とを具備している。長辺側側壁部６の側壁本体１４は、底壁部９から上方に延びる略平板状の側壁ベース壁部としての長辺側ベース壁部１８と、長辺側ベース壁部１８の外面から外方に突出する側壁補強リブとしての長辺側補強リブ１９とを備えている。本実施形態では、底壁構成部５と、短辺側側壁部７と、長辺側側壁部６の側壁本体１４とが一体的に形成されている。
【００２３】
さらに、本実施形態では、長辺側側壁部６の高さ方向の丁度中間位置よりも若干上方の位置から上側の大部分（短辺側側壁部７と連接している部位以外）が開口部１５となっており、開口部１５は上方にも開口している。また、扉部１６は、長辺側側壁部６の側壁本体１４の開口部１５の下縁部に対して、平行２軸ヒンジよりなるヒンジ部材２１を介して回動可能に連結されており、容器本体２の外方側に開放可能に構成されている。さらに、長辺側補強リブ１９は、開口部１５に沿って設けられた開口補強リブ２２を備えている。以下、開口補強リブ２２のうち、開口部１５の下縁部に沿って設けられている部位を「開口下部補強リブ２２ａ」とも称し、開口部１５の側縁部に沿って設けられている部位を「開口側部補強リブ２２ｂ」とも称する（図４等参照）。
【００２４】
加えて、図１、図４、図５等に示すように、扉部１６は、略平板状の扉側ベース壁部２３と、扉側ベース壁部２３の外面から外方に突出する扉側補強リブ２４とを備えている。図５に示すように、扉部１６が閉状態とされた場合には、扉部１６の下辺部（扉側ベース壁部２３の下辺部に沿って設けられた扉側補強リブ２４）が開口下部補強リブ２２ａの上面に当接して支持されるとともに、扉部１６（扉側ベース壁部２３）の内面と、側壁本体１４（長辺側ベース壁部１８）の内面とが略面一とされ、扉部１６の外面（扉側補強リブ２４の外縁部）と、側壁本体１４の外面（長辺側補強リブ１９の外縁部）とが略面一とされるようになっている。その一方で、図６に示すように、閉状態にある扉部１６が開状態とされる場合には、扉部１６が容器本体２の外方側に回動するとともに、ヒンジ部材２１が容器本体２の外方側に傾動することに伴って、ヒンジ部材２１と連結されている扉部１６の下縁部が側壁本体１４の厚み程度の距離を容器本体２の外方側に変位し、扉部１６が１８０度程度回動したところで、扉部１６がヒンジ部材２１から垂下する（扉部１６の上辺部が扉部１６の下側に配置される）ような格好となる。これにより、扉部１６が開状態とされた場合には、扉部１６の外面側と、側壁本体１４の外面側とが対向し、互いに当接（又は近接）して配置されるようになっている。
【００２５】
また、図１、図６等に示すように、長辺側側壁部６の側壁本体１４には、開口側部補強リブ２２ｂのうち容器本体２の内方側の部位（長辺側ベース壁部１８のうち開口側部補強リブ２２ｂに対応する部位）から開口部１５の内周側に突出する内倒れ防止部２５が設けられており、閉状態とされた扉部１６の内面側の両側部と当接、又は、近接するようになっている。さらに、開口側部補強リブ２２ｂの上端部近傍部位から開口部１５の内周側に突出する扉抜け防止部２６が設けられており、閉状態とされた扉部１６の上面の両側部と当接、又は、近接するようになっている。
【００２６】
加えて、図１等に示すように、長辺側側壁部６と、短辺側側壁部７とが連結された各コーナー部の上面側には、上方に突出する段積み用凸部２７が設けられている。さらに、図３に示すように、底壁構成部５の一対の脚部１０の下面側には、容器１同士を同じ向きで積み重ねる（段積みする）場合に、下側の容器１の段積み用凸部２７が挿入される段積み用凹部２８が設けられている。尚、図１、図４等に示すように、長辺側側壁部６、及び、短辺側側壁部７の上面において、各段積み用凸部２７の周辺部の高さよりも、閉状態にある扉部１６の上辺部の高さが低く構成されている。
【００２７】
また、図２等に示すように、扉部１６の外面側の両側部近傍部位には、閉状態にある扉部１６の開状態側への変位を規制する規制状態と、閉状態にある扉部１６の開状態側への変位が許容される許容状態とに状態変化可能なロック部材２９が取付けられている。
【００２８】
ここで、本実施形態の長辺側側壁部６の側壁本体１４と、底壁構成部５との連接部の構成について説明する。図１、図５に示すように、長辺側側壁部６の側壁本体１４の外面側の下部、及び、当該側壁本体１４の下方に隣接する底壁構成部５の外面側には、長辺側側壁部６の厚み方向においては、長辺側側壁部６の外面（閉状態にある扉部１６の扉側補強リブ２４の外縁部、及び、長辺側補強リブ１９の外縁部）とほぼ同じ位置に存在し、上下方向においては、底壁構成部５の下面リブ１１と、長辺側ベース壁部１８とに跨るような位置に延在する外壁部３１が設けられている。図５等に示すように、外壁部３１の下縁部は、底壁構成部５の下面リブ１１の下縁部よりも上方に位置し、外壁部３１の上縁部は、底壁本体１４（長辺側ベース壁部１８）の上下方向中央部よりも下方に位置している。
【００２９】
さらに、外壁部３１と、長辺側ベース壁部１８との間においては、底壁部９が省略され、その代わりに、外壁部３１の上縁部と、長辺側ベース壁部１８との間を連結する上げ底部３２が設けられている。加えて、図３、図５等に示すように、外壁部３１と、長辺側ベース壁部１８、及び、下面リブ１１と、上げ底部３２との間を連結する下面補強リブ１１ａが、長辺側側壁部６の横幅方向において複数箇所に設けられている。
【００３０】
尚、本実施形態の側壁本体１４（扉部１６が閉状態とされた長辺側側壁部６）の内面、及び、外面は、底壁部９に対して略垂直に（容器１が水平面に設置された場合には略鉛直方向に）延びている。また、上記のように、開状態とされた扉部１６は、側壁本体１４よりも容器本体２の外方側に突出したヒンジ部材２１から垂下し、側壁本体１４の外面と略平行して（略鉛直方向に）延びている。
【００３１】
さて、図６に示すように、外壁部３１の外面側には、開状態とされた扉部１６の上辺部との間に空間部３３を形成するようにして、開状態とされた扉部１６から離間する側に凹む持ち手対向部３４が設けられている。さらに、持ち手対向部３４は、扉部１６が開状態とされた場合に、空間部３３と、開状態とされた扉部１６の下方の空間との間を連通させる連通部３５を備えている。
【００３２】
より具体的に説明すると、本実施形態では、開状態とされた扉部１６の上辺部と、外壁部３１の上辺部寄りの部位とが同じ高さ位置とされて、長辺側側壁部６（側壁本体１４）の厚み方向において対向するようになっている。また、図２等に示すように、本実施形態の外壁部３１は、基本的に平板状をなしており、底壁構成部５の一方の短側辺部に沿って設けられる脚部１０から、底壁構成部５の他方の短側辺部に沿って設けられる脚部１０にかけて連続して設けられている。さらに、図５等に示すように、本実施形態では、外壁部３１の全体が上方に向けて容器本体２の内方側に傾斜している。加えて、外壁部３１の外面側には、該外壁部３１の外面の下辺部から外方に突出する下辺補強凸部３６が設けられているが、当該下辺補強凸部３６の他に外壁部３１の外面から突出するようなリブは設けられていない上、長辺側側壁部６の横幅方向において、外壁部３１の外面には段差も形成されていない。また、下辺補強凸部３６の先端部（外縁部）は、側壁本体１４の厚み方向において側壁本体１４の外面と同じ位置とされており、外壁部３１のうち下辺補強凸部３６よりも上方に位置する部位は、側壁本体１４の外面よりも容器本体２の内方側に位置している。
【００３３】
以上の構成により、本実施形態では、図６に示すように、開状態とされて略鉛直方向に延在する扉部１６の外面と、外壁部３１の外面との間に、前記空間部３３が形成されるようになっており、外壁部３１の外面側のうち下辺補強凸部３６よりも上方の部位により、持ち手対向部３４が構成されている。尚、本実施形態では、外壁部３１の外面のうち持ち手対向部３４に対応する部位の全体が案内面部に相当する。
【００３４】
また、図２、図５等に示すように、長辺側補強リブ１９は、外壁部３１の上方に隣接して上下方向に延在する縦リブ３７を備えている。縦リブ３７は、上げ底部３２の上面に連結されている。さらに、側壁本体１４の厚み方向において、縦リブ３７の上部の外縁部は、その他の長辺側補強リブ１９の外縁部と同じ位置とされている。その一方で、縦リブ３７の下部の外縁部は、下方に向けて容器本体２の内方側に傾斜する部位を備えるとともに、縦リブ３７の外縁部の下部は、外壁部３１の外面（持ち手対向部３４の案内面部）と連続して延在している。
【００３５】
また、図１、図６等に示すように、扉部１６の外面の上端部には、扉部１６の上辺部を構成する扉側補強リブ２４、及び、当該扉側補強リブ２４に連接する扉側補強リブ２４が切欠かれるようにして形成された切欠き部３８が設けられている。切欠き部３８は、扉部１６が開状態にある場合に、持ち手対向部３４と対向配置される部位に設けられており、本実施形態では、扉部１６の上辺部の長手方向中央部を含む範囲に設けられている。
【００３６】
以上詳述したように、本実施形態によれば、長辺側側壁部６の側壁本体１４の外面側の下部、及び、当該側壁本体１４の外面の下方に隣接する底壁構成部５の外面側に設けられた外壁部３１には、開状態とされた扉部１６の上辺部との間に空間部３３を形成するようにして、開状態とされた扉部１６から離間する側に凹む持ち手対向部３４が設けられている。さらに、持ち手対向部３４は、扉部１６が開状態とされた場合に、空間部３３と、開状態とされた扉部１６の下方の空間との間を連通させる連通部３５を備えている。このため、開状態にある扉部１６を閉状態とする場合に、持ち手対向部３４の連通部３５を介して、扉部１６の外面と、持ち手対向部３４との間に形成された空間部３３に指を挿入し、扉部１６の外面に指を掛けて、扉部１６のうち下側に配置されている扉部１６の上辺部の周辺部をしっかりと掴むことができる。つまり、開状態にある扉部１６を閉状態側に持ち上げる際に、扉部１６の外面に指を掛けるまでの動作を、当該指に負担をかけることなく、比較的スムースに行うことができる。さらに、開状態にある扉部１６を閉状態とする作業の開始時から開状態にある扉部１６を好適に掴むことができることから、開状態にある扉部１６を持ち上げようとした際に扉部１６から手が滑るといった事態を防止することができる。
【００３７】
さらに、閉状態にある扉部１６を開状態とする際に、指を前記空間部３３に位置させるようにすることで、扉部１６を側壁本体１４の外面と当接、又は、近接するまで、指を扉部１６の外面側に指を掛けておくことが可能となる。このため、開状態とされる扉部１６と、持ち手対向部３４との間に指が挟まれる、或いは、扉部１６を開状態とする際に、扉部１６の外面と側壁本体１４の外面との間が比較的離間している段階で扉部１６から手を離すことに起因した不具合（扉部１６、外壁部３１、及び、扉部１６を軸支するヒンジ部材２１の損傷、扉部１６の跳ね返りが作業者に当たる等）が生じるといった事態を抑止することができる。
【００３８】
従って、扉部１６を比較的スムース、かつ、より安全に開閉させることができ、作業性の向上等を図ることができる。特に、容器１が比較的大型であり、扉部１６が比較的重い場合には、かかる作用効果がより顕著に奏される。
【００３９】
また、持ち手対向部３４を構成する外壁部３１の外面は、開状態にある扉部１６の上辺部よりも下方に位置する部位（連通部３５）から前記空間部３３に対応する部位にかけて連続して延びている上、長辺側側壁部６の横幅方向において段差が形成されていない。このため、開状態にある扉部１６を閉状態とする際に、連通部３５に挿入した指が、外壁部３１の外面によって比較的スムースに、前記空間部３３に案内される。さらに、外壁部３１の外面によって案内されている指先は、前記空間部３３に案内されるまで段差やリブ等に突き当たることもない。従って、開状態にある扉部１６を閉状態とする際に扉部１６の上端部を掴む（扉部１６の外面側に指を掛ける）動作をより行い易くすることができる。
【００４０】
加えて、外壁部３１の外面は上方に向けて容器本体２の内方側に傾斜して延びているため、連通部３５に挿入した指を、前記空間部３３に案内するといった作用効果がより一層奏される。また、持ち手対向部３４における側壁本体１４（底壁構成部５）の外面からの奥行きを効率的に設けることができ、例えば、外壁部３１の下辺部において必要以上の比較的大きな段差が形成される（下辺補強凸部３６の突出長が長くなる）ことに起因して、当該段差に対して別部材が引っ掛かったり、段差部分が破損したりする等の事態を抑止することができる。
【００４１】
さらに、外壁部３１の上方に隣接して上下方向に延在する縦リブ３７が設けられ、縦リブ３７の外縁部の下部は、外壁部３１の外面と連続して延在している。このため、縦リブ３７においても、開状態にある扉部１６との間に隙間が形成されることとなる。従って、前記空間部３３に挿入した指が、さらに外壁部３１よりも上方にまで挿入されたとしても、縦リブ３７に対して指先が上下に突き当たるといった事態を防止することができる。また、上下方向における外壁部３１の形成範囲を極力短くすることができ、底壁構成部５、及び、側壁本体１４の構成の複雑化等を抑制することができる。尚、空間部３３に挿入した指が外壁部３１よりも上方にまで挿入された場合、指先に当たる感触が変わる（外壁部３１がなくなる）ことから、それ以上に指を挿入させることを慎重にさせる（抑止を図る）ことができ、指先が長辺側補強リブ１９に勢いよく接触する等の事態を抑止することができる。
【００４２】
加えて、扉部１６の外面の上端部には切欠き部３８が設けられ、扉部１６が開状態にある場合に、扉部１６の切欠き部３８が設けられた部位と、持ち手対向部３４（外壁部３１の外面）とが対向配置される。このため、持ち手対向部３４と、開状態とされた扉部１６の上辺部との間に形成される空間部３３を扉部１６側にも拡張させることができる。さらに、連通部３５を含む前記空間部３３への指の入口を広くすることができる。従って、前記空間部３３をより好適に、より広く確保することができ、例えば、切欠き部３８を設けた場合の前記空間部３３の広さと同じ広さの前記空間部３３を持ち手対向部３４の凹形状だけで確保しようとした場合に、持ち手対向部３４周辺部の形状の変化が大きくなり、強度の低下等を招くといった事態を回避することができる。
【００４３】
尚、上記実施形態の記載内容に限定されず、例えば次のように実施してもよい。勿論、以下において例示しない他の応用例、変更例も当然可能である。
【００４４】
（ａ）上記実施形態では、開状態とされた扉部１６の上辺部の全域に対応するようにして、外壁部３１の横幅の全体が持ち手対向部３４として構成されているが、例えば、容器が比較的小型の場合に、扉部１６の上辺部の横幅方向中央部を含む部位に対応して持ち手対向部を設けたり、容器が比較的大型の場合に、扉部１６の横幅方向において左右２箇所に持ち手対向部を設けたりすることとしてもよい。但し、閉状態にある扉部１６を開状態とする際に、扉部１６の上辺部を意識せずに掴んだ部位が持ち手対向部３４に対応しておらず、持ち手対向部３４に対応する部位を掴んでいる感覚で扉部１６を開状態としてしまうことに起因する不具合を回避するべく、開状態とされた扉部１６の上辺部の全域に対応するようにして持ち手対向部３４を設けることが望ましい。
【００４５】
尚、開状態とされた扉部１６の上辺部の全域に対応するようにして持ち手対向部３４を設けなくても、上記実施形態のように、扉部１６において持ち手対向部３４の形成範囲内に対応して切欠き部３８が設ける場合には、切欠き部３８が持ち手対向部３４の形成範囲の目印となり、扉部１６を開状態とする際に扉部１６の上辺部のうち持ち手対向部３４に対応しない部位を掴んでしまうといった上記不具合を抑止することができる。また、扉部１６の切欠き部３８は、扉部１６が開状態とされた場合に持ち手対向部３４と対向する位置に設けられていればよく、例えば、長辺側側壁部６の横幅方向において持ち手対向部３４の形成範囲と一致するようにして、切欠き部３８を設けることとしてもよい。加えて、切欠き部３８を省略することも可能である。
【００４６】
（ｂ）上記実施形態において、長辺側側壁部６の厚み方向における空間部３３の幅は特に限定されるものではないが、極力広く構成することで、開状態にある扉部１６の外面側に指先を掛け易くするといった作用効果がより顕著に奏される。また、前記空間部３３の幅は作業者の指の太さに比べて極力狭くならないように構成することが望ましく、さらには、作業者の指の太さよりも広く構成されることが望ましい。
【００４７】
加えて、側壁本体１４の外面、及び、内面は、底壁部９に対して垂直（鉛直方向）に近い方向に延在することとしてもよいが、例えば、側壁本体１４の外面が上方に向けて容器本体２の内方側に傾く場合に、開状態にある扉部１６が外方に開いた姿勢で維持されて当該扉部が作業の邪魔になる、或いは、容器本体２の内側が成形し難くなる等の不具合を招いたり、例えば、側壁本体１４の外面が上方に向けて容器本体２の外方側に傾く場合に、開状態にある扉部１６がばたつく、或いは、ヒンジ部２１の負担が大きくなる等の不具合を招いたりすることを回避するべく、側壁本体１４の外面、及び、内面は、底壁部９に対して垂直又はほぼ垂直（鉛直方向又はほぼ鉛直方向）に延在することが望ましい。
【００４８】
また、上記実施形態では、略平板状をなす外壁部３１が上方に向けて容器本体２の内方側に傾斜しているが、例えば、外壁部３１の一部、又は、全体を湾曲状に構成してもよいし、外壁部３１を長辺側側壁部６の外面よりも容器本体２の内方側の位置において長辺側ベース壁部１８と平行して（鉛直に）延在させてもよいし、外壁部３１のうち持ち手対向部３４を構成する外面側において、上下方向や左右方向に延びるリブを設けることとしてもよい。
【００４９】
（ｃ）上記実施形態では、一対の長辺側側壁部６においてそれぞれ扉部１６が設けられる構成となっているが、かかる構成に代えて、又は、また、短辺側側壁部７に扉部が設けられる構成としてもよいし、一方の長辺側側壁部６にのみ扉部１６が設けられる構成としてもよい。加えて、上記実施形態では、側壁本体１４に設けられた開口部１５が側壁本体１４の厚み方向に貫通するだけでなく、上方に開口するように構成されているが、側壁本体１４において開口部１５の上方を閉塞する部位が設けられるように構成してもよい。
【００５０】
（ｄ）上記実施形態では、容器１はポリプロピレンにより構成されているが、ポリエチレン、ＰＥＴ、ポリアミド等その他の樹脂材料により構成されることとしてもよい。また、上記実施形態では、底壁構成部５においてフォーク差込み部１２を有する脚部１０が設けられ、フォークリフト等で運搬可能な容器１に具体化されているが、脚部、及び、フォーク差込み部のない容器に適用してもよい。さらに、仕切り板４が設けられない容器に適用することも可能である。
【符号の説明】
【００５１】
１…容器、２…容器本体、３…収容空間、５…底壁構成部、６…長辺側側壁部、７…短辺側側壁部、１４…側壁本体、１５…開口部、１６…扉部、１８…長辺側ベース壁部、１９…長辺側補強リブ、２１…ヒンジ部材、２３…扉側ベース壁部、２４…扉側補強リブ、３１…外壁部、３３…空間部、３４…持ち手対向部、３５…連通部、３７…縦リブ、３８…切欠き部。
【図１】
2020142814.tif 000003
【図２】
2020142814.tif 000004
【図３】
2020142814.tif 000005
【図４】
2020142814.tif 000006
【図５】
2020142814.tif 000007
【図６】
2020142814.tif 000008